(57)【特許請求の範囲】
【請求項１】
ドア用蝶番の羽根板が結合される裏板をドア用建材に取り付ける方法であって、前記裏板を前記ドア用建材に位置決めして取り付けるためのドア用蝶番の裏板位置決め取付方法において、
ドアの少なくとも一部の外面を形成するドア外面形成部材となっている前記ドア用建材は、前記裏板が取り付けられる取付箇所に対して屈曲している屈曲部を有するものとなっているとともに、前記ドアの厚さ方向における前記取付箇所の寸法は、前記裏板の幅寸法よりも大きい寸法となっており、
前記ドアを平置き状態の水平姿勢にすることにより、前記ドア用建材の姿勢を前記屈曲部を下側にした姿勢にするための作業工程と、
前記裏板の幅方向を上下方向にしてこの裏板を上から落とすことにより、前記裏板の端面を前記屈曲部に当接させ、この当接により前記裏板をこの裏板の前記幅方向に位置決めするための作業工程と、
前記裏板を前記取付箇所に取り付けるための作業工程と、
を含んでいることを特徴とするドア用蝶番の裏板位置決め取付方法。
【請求項２】
請求項１に記載のドア用蝶番の裏板位置決め取付方法において、前記ドア外面形成部材は、前記ドアの構造材となっている縦力骨であり、この縦力骨は、前記取付箇所となっているウェブと、このウェブの幅方向両端から同じ方向に延びている一対のフランジとからなり、これらのフランジのうち、一方のフランジが前記屈曲部となっていることを特徴とするドア用蝶番の裏板位置決め取付方法。
【請求項３】
請求項１又は２に記載のドア用蝶番の裏板位置決め取付方法において、前記裏板の幅方向を上下方向にしてこの裏板を上から落とす際には、前記裏板にスペーサ部材が取り付けられており、このスペーサ部材における前記裏板の前記端面と同じ側の端面は、前記裏板の前記端面と上下方向に一致しており、前記裏板の幅方向を上下方向にしてこの裏板を上から落としたときには、前記裏板の前記端面と前記スペーサ部材の端面とが前記屈曲部に当接し、前記裏板を前記取付箇所に取り付けるための前記作業工程は、前記スペーサ部材を前記取付箇所に取り付けるための作業工程となっていることを特徴とするドア用蝶番の裏板位置決め取付方法。
【請求項４】
請求項３に記載のドア用蝶番の裏板位置決め取付方法において、前記スペーサ部材の個数は２個であり、これらのスペーサ部材は前記裏板の長さ方向両端部に取り付けられていることを特徴とするドア用蝶番の裏板位置決め取付方法。
【請求項５】
ドア用蝶番の羽根板が結合される裏板をドア用建材に取り付ける構造であって、前記裏板を前記ドア用建材に位置決めして取り付けるためのドア用蝶番の裏板位置決め取付構造において、
前記ドア用建材は、前記裏板が取り付けられる取付箇所に対して屈曲している屈曲部を有するものとなっており、前記裏板の端面がこの屈曲部に当接していることにより、前記裏板が前記ドア用建材に位置決めされて前記取付箇所に取り付けられ、
前記取付箇所には、前記羽根板が嵌入され、かつ前記裏板の少なくとも一部を露出させるための開口部が設けられ、この開口部に嵌入された前記羽根板が、前記取付箇所に取り付けられている前記裏板に結合され、
前記裏板にはスペーサ部材が取り付けられ、このスペーサ部材が、前記開口部から外れた位置において、前記取付箇所に結合されることにより、前記スペーサ部材を介して前記裏板が前記取付箇所に取り付けられていることを特徴とするドア用蝶番の裏板位置決め取付構造。
【請求項６】
請求項５に記載のドア用蝶番の裏板位置決め取付構造において、前記羽根板の厚さ寸法は、前記ドア用建材の厚さ寸法と前記スペーサ部材の厚さ寸法との合計寸法と同じ又は略同じになっていることを特徴とするドア用蝶番の裏板位置決め取付構造。
【請求項７】
請求項５又は６に記載のドア用蝶番の裏板位置決め取付構造において、前記スペーサ部材の個数は２個であり、これらのスペーサ部材は前記裏板の長さ方向両端部に取り付けられていることを特徴とするドア用蝶番の裏板位置決め取付構造。
【請求項８】
請求項７に記載のドア用蝶番の裏板位置決め取付構造において、前記裏板の前記長さ方向は、前記屈曲部による前記裏板の位置決め方向と直角又は略直角をなす方向であり、前記２個のスペーサ部材の間から露出している前記裏板の露出部分の寸法が、前記裏板の位置決め方向と直角又は略直角をなす方向における前記開口部の寸法と同じ又は略同じになっていることを特徴とするドア用蝶番の裏板位置決め取付構造。
【請求項９】
請求項５〜８のいずれかに記載のドア用蝶番の裏板位置決め取付構造において、前記スペーサ部材は、前記屈曲部に当接している前記裏板の前記端面とは反対側の端面から突出している突出部を有していることを特徴とするドア用蝶番の裏板位置決め取付構造。
【請求項１０】
請求項５〜９のいずれかに記載のドア用蝶番の裏板位置決め取付構造において、前記ドア用建材は、前記ドア用蝶番を中心に回動自在となっているドアの少なくとも一部の外面を形成しているドア外面形成部材であることを特徴とするドア用蝶番の裏板位置決め取付構造。
【発明の詳細な説明】
【技術分野】
【０００１】
本発明は、ドア用蝶番の羽根板を結合するための裏板をドア用建材に取り付けるための方法及びその構造であって、裏板をドア用建材に位置決めして取り付けるための方法及びその構造に係り、裏板を、ドアの少なくとも一部の外面を形成するドア外面形成部材や、ドアで開閉される開口部を内側に形成するドア枠に位置決めして取り付けるために利用できるものである。
【背景技術】
【０００２】
ドア用蝶番の羽根板は、下記の特許文献１に示されているように、ドア用建材であるドアの少なくとも一部の外面を形成するドア外面形成部材や、ドアで開閉される開口部を内側に形成するドア枠に取り付けられている裏板に結合され、これにより、ドアは、ドア用蝶番を中心に回動自在となって開口部を開閉する。そして、ドアが出入口であるこの開口部に対して所定どおり開閉するようにするためには、ドア用蝶番の羽根板が結合される裏板は、上記ドア用建材の所定箇所に位置決めされて取り付けられていなければならない。
【先行技術文献】
【特許文献】
【０００３】
【特許文献１】特開平８−２５４０６０号公報
【発明の概要】
【発明が解決しようとする課題】
【０００４】
ドア用蝶番の羽根板が結合される裏板を、上記ドア用建材であるドア外面形成部材やドア枠の所定箇所に位置決めして取り付けるために、従来では、ドア用建材の所定の端面からの距離をメジャー等の測定器で測定し、これによって確認された所定箇所に裏板を取り付けることや、ドア用建材の所定位置に突起を設け、この突起を裏板に形成した孔や凹部に挿入することにより、裏板をドア用建材の所定箇所に位置決めして取り付けることが行われている。
【０００５】
これによると、裏板をドア用建材の所定箇所に位置決めして取り付けるための作業に多くの手間がかかることになり、この作業を容易に行える工夫が求められる。
【０００６】
本発明の目的は、裏板をドア用建材の所定箇所に位置決めして取り付けるための作業を容易に行えるようになるドア用蝶番の裏板位置決め取付構造を提供するところにある。
【課題を解決するための手段】
【０００７】
本発明に係るドア用蝶番の裏板位置決め取付構造は、ドア用蝶番の羽根板が結合される裏板をドア用建材に取り付ける構造であって、前記裏板を前記ドア用建材に位置決めして取り付けるためのドア用蝶番の裏板位置決め取付構造において、前記ドア用建材は、前記裏板が取り付けられる取付箇所に対して屈曲している屈曲部を有するものとなっており、前記裏板の端面がこの屈曲部に当接していることにより、前記裏板が前記ドア用建材に位置決めされて前記取付箇所に取り付けられていることを特徴とするものである。
【０００８】
このドア用蝶番の裏板位置決め取付構造によると、ドア用建材は、裏板が取り付けられる取付箇所に対して屈曲している屈曲部を有するものであり、裏板の端面がこの屈曲部に当接することにより、裏板がドア用建材に位置決めされて取付箇所に取り付けられているため、ドア用建材がもともと有している屈曲部を有効に利用することにより、裏板をドア用建材に位置決めしてこのドア用建材の取付箇所に取り付けるための作業を容易かつ短時間で行え、この作業の効率化を図ることができる。
【０００９】
本発明において、前記屈曲部の屈曲角度は、直角又は略直角、すなわち９０度又は略９０度でもよく、あるいは、６０度や１２０度等でもよく、任意の屈曲角度でよい。
【００１０】
しかし、ドア用建材にもともと設けられる多くの屈曲部の屈曲角度は、９０度又は略９０度であるため、裏板を位置決めするための屈曲部を、前記取付箇所に対して直角又は略直角に屈曲している部分とすることにより、裏板を位置決めして取り付ける箇所を本来の所定箇所とすることが充分に可能となる。
【００１１】
また、本発明において、裏板の端面を屈曲部に当接させてこの裏板をドア用建材に位置決めするときには、このドア用建材を屈曲部が下側とされた姿勢とし、位置決めを、裏板の下向きとした端面を屈曲部に当接して行うようにすることが好ましい。
【００１２】
これによると、裏板の端面を屈曲部に当接させてこの裏板をドア用建材に位置決めするための作業を、裏板を上から落とす作業により行えることになり、このため、裏板の位置決め作業を容易に行える。
【００１３】
また、本発明において、前記取付箇所には、前記ドア用蝶番の羽根板が嵌入され、かつ裏板の少なくとも一部を露出させるための開口部を設け、この開口部に嵌入された羽根板を取付箇所に取り付けられている裏板に結合するようにしてもよい。
【００１４】
これによると、ドア用蝶番の羽根板を開口部を介して裏板に直接結合することができるようになる。
【００１５】
さらに、このようにする場合には、裏板にスペーサ部材を取り付け、このスペーサ部材を、開口部から外れた位置において、前記取付箇所に結合することにより、スペーサ部材を介して裏板を取付箇所に取り付けるようにしてよい。
【００１６】
これによると、開口部が設けられているドア用建材の厚さ寸法とスペーサ部材の厚さ寸法との合計寸法を確保することができるため、ドア用蝶番の羽根板が厚板となっていても、この羽根板を開口部に嵌入するための充分の寸法を得られて、裏板に羽根板を直接結合できるようになる。
【００１７】
そして、羽根板の厚さ寸法が、ドア用建材の厚さ寸法とスペーサ部材の厚さ寸法との合計寸法と同じ又は略同じになっていることにより、ドアをドア用蝶番を中心に回動自在とすることができる。
【００１８】
また、開口部から外れた位置において前記取付箇所に結合されるスペーサ部材の個数を２個とし、これらのスペーサ部材を裏板の長さ方向両端部に取り付けることが好ましい。
【００１９】
これによると、開口部が設けられているドア用建材の厚さ寸法とスペーサ部材の厚さ寸法との合計寸法を一層確実に確保することができる
また、このようにする場合には、裏板の前記長さ方向を、前記屈曲部による裏板の位置決め方向と直角又は略直角をなす方向とし、２個のスペーサ部材の間から露出している裏板の露出部分の寸法を、裏板の位置決め方向と直角又は略直角をなす方向における前記開口部の寸法と同じ又は略同じにすることが好ましい。
【００２０】
これによると、屈曲部による裏板の位置決め方向と直角又は略直角をなす方向についての裏板の位置決めを、２個のスペーサ部材と開口部とにより容易に行えるようになる。
【００２１】
さらに、上述のように裏板にスペーサ部材を取り付け、このスペーサ部材を、開口部から外れた位置において、前記取付箇所に結合することにより、スペーサ部材を介して裏板を前記ドア用建材の取付箇所に取り付けるようする場合には、スペーサ部材は、前記屈曲部に当接する裏板の端面とは反対側の端面から突出している突出部を有するものとすることが好ましい。
【００２２】
これによると、作業者は、裏板の両方の端面のうち、スペーサ部材の突出部により、屈曲部に当接させるべき裏板の端面を明確に認識できるようになり、裏板の位置決め作業を一層容易に行えるようになる。
【００２３】
以上説明した本発明において、前記ドア用建材は、ドア用蝶番を中心に回動自在となっているドアの少なくとも一部の外面を形成しているドア外面形成部材でもよく、あるいは、ドアで開閉される開口部を内側に形成するためのドア枠の構成部材でもよい。
【００２４】
また、ドアは玄関ドアでもよく、室内ドアでもよく、本発明に係るドア用蝶番の裏板位置決め取付構造は、任意のドアに適用できる。
【発明の効果】
【００２５】
本発明によると、裏板をドア用建材の所定箇所に位置決めして取り付けるための作業を容易に行えるという効果を得られる。
【図面の簡単な説明】
【００２６】
【図１】図１は、本発明の一実施形態に係るドア用蝶番の裏板位置決め取付構造が適用されているドア装置の全体を示す正面図である。
【図２】図２は、図１のＳ２−Ｓ２線断面図である。
【図３】図３は、図１及び図２に示されているドアの製造工程の途中のドア構造を示す斜視図である。
【図４】図４は、図３の一部拡大図である。
【図５】図５は、図４のＳ５−Ｓ５線断面図である。
【図６】図６は、裏板と、この裏板に取り付けられているスペーサ部材との裏板組み合せ品を示す斜視図である。
【図７】図７は、裏板が取り付けられる前のドア用建材となっている図１〜図５の実施形態のドアの力骨及び表面材を示す斜視図である。
【図８】図８は、別実施形態に係るドアについて示す図で、ドアの室内側表面材を二点鎖線により示した図４と同様の図である。
【発明を実施するための形態】
【００２７】
以下に本発明を実施するための形態を図面に基づいて説明する。図１には、本発明の一実施形態に係るドア用蝶番の裏板位置決め取付構造が適用されたドア装置の全体が示されている。玄関用であるこのドア装置は、玄関ドア１と、このドア１により開閉される玄関出入口である開口部２を内側に形成しているドア枠３と、このドア枠３にドア１を取り付けている蝶番４とが主要部材となって構成されており、本実施形態では、蝶番４の個数は上下に３個あり、これらの蝶番４を中心にドア１は回動自在となっていて、ドア１により開口部２は開閉される。
【００２８】
本実施形態に係るドア枠３は、左右の縦枠５，６と、上枠７と、沓摺り８とからなる四方枠であり、ドア１は、蝶番４により縦枠６に取り付けられている。蝶番４は、ドア１側の羽根板４Ａと、ドア枠３側の羽根板４Ｂと、これらの羽根板４Ａ，４Ｂの基部同士を回動自在に連結し、上下方向が軸方向となっているピン４Ｃ（図２を参照）とからなり、このピン４Ｃは、本実施形態では、図１で示されているドア１の室外側に配置されている。
【００２９】
図３には、製造工程の途中のドア１の構造が示されている。このドア１の構造材は、左右両端に配設され、上下方向に延びる縦力骨１０，１１と、これらの縦力骨１０，１１の上下に配設され、横方向に延びる横力骨１２，１３と、これらの横力骨１２，１３の間に縦力骨１０，１１と平行に配置された中力骨１４とであり、これらの力骨１０〜１４は、チャンネル材を所定長さ寸法に切断することにより形成されている。このため、力骨１１は、幅方向がドア１の厚さ方向となっているウェブ１５と、このウェブ１５の幅方向両端から同じ方向に延びている一対のフランジ１６，１７（図４も参照）とからなる。
【００３０】
また、図３に示されているように、ドア１の内部にはボックス部１８が設けられ、このボックス部１８の内部に、図１で示されているドアノブ１９や施錠装置２０によって作動するラッチボルトやデッドボルトの作動機構が収納されている。
【００３１】
ドア１の室内側及び室外側の表面は、それぞれ板状となっている図３の室内側表面材２１と室外側表面材２２で形成され、これらの表面材２１，２２は、それぞれの力骨１０〜１４のフランジ１６，１７に溶接や接着材等により結合されている。
【００３２】
このため、ドア１の力骨１０〜１４及び表面材２１，２２と、ドア枠３の左右の縦枠５，６と上枠７と沓摺り８は、ドア用建材になっているとともに、ドア１の力骨１０〜１４及び表面材２１，２２は、ドア１の少なくとも一部の外面を形成しているドア外面形成部材にもなっており、そして、縦力骨１１のウェブ１５は、ドア１における蝶番４側の木口面を形成している。また、縦力骨１１のフランジ１７は、ウェブ１５に対して直角又は略直角に屈曲している縦力骨１１の屈曲部である。
【００３３】
図２は、図１のＳ２−Ｓ２線断面図である。図１で示されている蝶番４のドア１側の羽根板４Ａと，ドア枠３側の羽根板４Ｂのうち、図２に示されているように、ドア１側の羽根板４Ａは、ドア１の左右の構造材となっている一対の縦力骨１０，１１のうち、蝶番４側の構造材である縦力骨１１のウェブ１５の内側に取り付けられてドア１の内部に配置された裏板３０に結合され、ドア枠３側の羽根板４Ｂは、ドア枠３におけるドア１を吊る側の吊り元構成部材となっている縦枠６に内側に取り付けられてドア枠３の内部に配置された裏板３１に結合されている。
【００３４】
本実施形態では、ドア１の内部に配置される裏板３０は、縦力骨１１のウェブ１５に後述するスペーサ部材３３を介して取り付けられるようになっており、このため、縦力骨１１のウェブ１５は、本実施形態において、裏板３０がスペーサ部材３３を介して取り付けられる取付箇所となっている。そして、フランジ１７は、この取付箇所に対して直角又は略直角に屈曲して屈曲部になっている。
【００３５】
図３に示されているように、縦力骨１１のウェブ１５には開口部３２が形成されており、ドア１の内外を連通させているこの開口部３２は、上下３個の蝶番４の配設位置に応じて３個設けられている。図４は図３の一部拡大図であり、図５は図４のＳ４−Ｓ４線断面図である。また、図７には、裏板３０等を除外した開口部３２が示されている。これらの図４、図５及び図７から分かるように、それぞれの開口部３２は、チャンネル材で形成されている縦力骨１１の一対のフランジ１６，１７のうち、室内側フランジ１６からドア１の厚さ方向へ少し離れた位置から室外側フランジ１７へウェブ１５を切除することにより形成されており、この切除作業は、室外側フランジ１７と室外側表面材２２の厚さ分をも切除するとともに、室外側フランジ１７と室外側表面材２２をドア１の内側方向に切り込むことにより行われている。
【００３６】
このため、図５に示されているように、開口部３２は、ウェブ１５での長さが長くて、フランジ１７での長さが短いＬ字状の断面形状となっている。
【００３７】
図６には、図２で説明したドア１の縦力骨１１の内部に配置されている裏板３０が示されている。縦力骨１１よりも厚板であるこの裏板３０は、ドア１の上下方向が長辺の長さ方向となっている長方形の形状を有し、この長さ方向の両端部の表面に２個のスペーサ部材３３が溶接等で取り付けられており、この取り付けは、裏板３０の長さ方向と直交する裏板３０の幅方向（ドア１の厚さ方向）の両側の端面３０Ａ，３０Ｂのうち、一方の端面３０Ａの位置と、それぞれのスペーサ部材３３におけるこの端面３０Ａと同じ側の端面３３Ａの位置とを、裏板３０の幅方向において一致させて行われている。そして、それぞれのスペーサ部材３３における裏板３０の幅方向の寸法は、裏板３０の幅寸法よりも大きい寸法となっているため、それぞれスペーサ部材３３は、裏板３０の上記端面３０Ａとは反対側の端面３０Ｂから突出している突出部３３Ｂを有している。
【００３８】
以上のように裏板３０の長さ方向の両端部の表面に２個のスペーサ部材３３を溶接等で取り付けることは、裏板３０がドア１の構成部材である縦力骨１１の内側に配置される前に行われている。このため、予め裏板３０と２個のスペーサ部材３３からなる裏板組み立て品４０が製造されている。
【００３９】
図６に示されているこの裏板組み立て品４０において、裏板３０の長さ方向における２個のスペーサ部材３３の間の内側寸法Ｌ１は、図７で示されている裏板３０の長さ方向における開口部３２の寸法Ｌ２と同じ又は略同じ、具体的には、寸法Ｌ２と同じ又はこの寸法Ｌ２よりも少し大きくなっている。また、図５に示されているように、前述した室外側表面材２２と縦力骨１１のフランジ１７との合計厚さ寸法Ｗ１に裏板３０の幅寸法Ｗ２を加えた寸法（Ｗ１＋Ｗ２）は、裏板３０の幅方向における開口部３２の寸法Ｗ３と同じ又は略同じになっている。さらに、寸法Ｗ３から合計厚さ寸法Ｗ１を差し引いた寸法（Ｗ３−Ｗ１）よりも、裏板３０の幅方向におけるスペーサ部材３３の寸法Ｗ４は大きくなっている。また、寸法Ｗ４は、裏板３０の幅方向における縦力骨１１の一対のフランジ１６，１７の間の内側寸法Ｗ５よりも小さくなっている。このため、一対のフランジ１６，１７の間において、裏板組み立て品４０を上から落とすことができるようになっている。
【００４０】
さらに、前述した蝶番４のドア１側の羽根板４Ａの厚さ寸法Ｔ１は、前述したドア用建材であってドア１の外面形成部材ともなっている縦力骨１１のウェブ１５の厚さ寸法とスペーサ部材３３の厚さ寸法との合計寸法Ｔ２と同じ又は略同じになっており、本実施形態では、厚さ寸法Ｔ１は合計寸法Ｔ２よりも少し大きくなっている。
【００４１】
図２に示されているように、蝶番４のドア１側の羽根板４Ａは裏板３０にビス４１によって結合されるため、図６に示されているように、裏板３０には、２個のスペーサ部材３３の間で露出している前記内側寸法Ｌ１内の箇所において、ビス４１を螺入するためのねじ孔４２が形成されている。
【００４２】
裏板組み立て品４０は、ドア１の製造工程の途中において、ドア１の縦力骨１１の内部に配置される。この配置作業は、前述した室外側の表面材２２を作業台の上に載せることにより、言い換えると、図３に示されているように、縦力骨１１のウェブ１５に対して屈曲した屈曲部となっているフランジ１７を下側にすることにより、ドア１をこの作業台の上に平置き状態の水平姿勢にした後に行なわれる。ドア１をこのような平置きの水平姿勢した後に、裏板組み立て品４０を、縦力骨１１の内側において、裏板３０の幅方向（図３では上下方向であって、ドア１の厚さ方向）に位置決めして縦力骨１１のウェブ１５に取り付ける作業が行われ、この位置決め取付作業は、２個のスペーサ部材３３を、図４に示されているように、ウェブ１５に形成されている開口部３２の両側に位置させて、言い換えると、これらのスペーサ部材３３の位置を開口部３２から外れた位置にさせて、裏板組み立て品４０を上から落とすことにより、裏板３０の前述した端面３０Ａと、裏板３０の幅方向においてこの端面３０Ａの位置と一致しているスペーサ部材３３の端面３３Ａとを、図５で示されているように、縦力骨１１のフランジ１７に当接させることにより行われ、この当接により、裏板３０は、ドア１の厚さ方向である裏板３０の幅方向に位置決めされる。
【００４３】
次いで、縦力骨１１のウェブ１５に接触させた２個のスペーサ部材３３をこのウェブ１５やフランジ１７に溶接等で結合する作業が行われ、これにより、裏板３０は、２個のスペーサ部材３３を介して縦力骨１１のウェブ１５に取り付けられることになり、このウェブ１５は裏板３０の取付箇所となる。また、このように裏板３０を２個のスペーサ部材３３を介して縦力骨１１のウェブ１５に取り付けたときには、それぞれのスペーサ部材３３は、縦力骨１１のウェブ１５とフランジ１７に断面Ｌ字に形成されている開口部３２から外れた位置において、上記取付箇所に結合されていることになり、さらに、裏板３０の一部は開口部３２から露出しており、この一部に前述のねじ孔４２が形成されていることになる。
【００４４】
この後、図５に示されているように、蝶番４のドア１側の羽根板４Ａを、ドア１の外側から開口部３２に嵌入する作業が行われ、この開口部３２に嵌入された羽根板４Ａは、裏板３０に形成されているねじ孔４２に螺入されるビス４１により、裏板３０に結合される。
【００４５】
このようにビス４１でドア１側の羽根板４Ａが結合されるときの裏板３０は、この裏板３０の端面３０Ａがフランジ１７に当接することにより、上述のように裏板３０の幅方向（ドア１の厚さ方向）に位置決めされており、この位置決めにより、裏板３０の幅方向における裏板３０の配置位置は正確に設定されているため、図１で示した玄関用ドア装置の施工が終了した後に、ドアノブ１９でドア１を蝶番４を中心に回動操作したとき、ドア１を出入口である開口部２に対して所定どおり開閉させることができる。
【００４６】
以上説明したように本実施形態では、ドア用建材であって、ドア１の外面形成部材となっている縦力骨１１のウェブ１５に裏板３０を取り付けるための作業は、このウェブ１５に対して屈曲しているフランジ１７に裏板３０の端面３０Ａを当接させることにより、裏板３０を位置決めして行なわれ、このフランジ１７は、ドア１の少なくとも一部の外面を形成するためのドア外面形成部材となっている縦力骨１１の裏板取付箇所であるウェブ１５に対して直角又は略直角に屈曲している屈曲部になっているため、裏板３０の位置決め作業を、縦力骨１１がもともと有している屈曲部を有効に利用することにより行うことができ、このため、裏板３０を縦力骨１１に位置決めしてこの縦力骨１１の取付箇所に取り付けるための作業を容易かつ短時間で行え、この作業の効率化を図ることができる。
【００４７】
また、本実施形態では、裏板３０の端面３０Ａを縦力骨１１の屈曲部となっているフランジ１７に当接させて、裏板３０を縦力骨１１に位置決めするときには、ドア１及び縦力骨１１はフランジ１７を下側とした姿勢とされており、裏板３０の位置決めを、裏板の下向きとなっている端面３０Ａをフランジ１７に当接して行うため、裏板３０の位置決め作業を、裏板３０を含んで形成されている裏板組み立て品４０を上から落とす作業により行えることになり、このため、裏板３０の位置決め作業を容易に行える。
【００４８】
また、本実施形態では、裏板３０には、縦力骨１１のウェブ１５に、縦力骨１１に形成された開口部３２から外れた位置で結合されるスペーサ部材３３が取り付けられているため、図５に示されているように、開口部３２に嵌入した蝶番４のドア１側の羽根板４Ａを裏板３０にビス４１で結合する際に、厚板で形成されているこの羽根板４Ａの厚さ寸法Ｔ１が大きくても、縦力骨１１のウェブ１５の厚さ寸法とスペーサ部材３３の厚さ寸法との合計寸法Ｔ２により、この合計寸法Ｔ２を厚さ寸法Ｔ１と同じ又は略同じにすることができ、これにより、羽根板４Ａを開口部３２に充分に嵌入させて、この羽根板４Ａを裏板３０に直接接触させ、ビス４１で羽根板４Ａを裏板３０に結合することができる。
【００４９】
また、本実施形態では、開口部３２から外れた位置において縦力骨１１の裏板取付箇所であるウェブ１５に結合されるスペーサ部材３３の個数は、２個となっており、これらのスペーサ部材３３が裏板３０の長さ方向両端部に取り付けられており、裏板３０のこの長さ方向は、縦力骨１１の前記屈曲部であるフランジ１７による裏板３０の位置決め方向と直角又は略直角をなす方向である。そして、前述したように、裏板組み立て品４０は、裏板３０の長さ方向両端部に２個のスペーサ部材３３が取り付けられたものであって、これらのスペーサ部材３３の間の内側寸法Ｌ１は、言い換えると、２個のスペーサ部材３３の間から露出している裏板３０の露出部分の寸法Ｌ１は、この裏板３０の長さ方向における開口部３２の寸法Ｌ２と同じ又はこの寸法Ｌ２よりも少し大きくなっている。
【００５０】
このため、フランジ１７による裏板３０の位置決め方向と直角又は略直角をなす方向についての裏板３０の位置決めを、開口部３２と２個のスペーサ部材３３とにより容易に行える。
【００５１】
さらに、前述したように、スペーサ部材３３には、裏板３０の２個の端面３０Ａ，３０Ｂのうち、端面３０Ｂから突出している突出部３３Ｂが設けられており、この端面３０Ｂは、裏板３０を位置決めするためにフランジ１７に当接させる端面３０Ａとは反対側の端面であるため、作業者は、裏板３０の両方の端面３０Ａ，３０Ｂのうち、フランジ１７に当接させて裏板３０を位置決めするための端面３０Ａを、スペーサ部材３３の突出部３３Ｂにより明確に認識できるようになり、これにより、裏板３０の位置決め作業を一層容易に行えるようになる。
【００５２】
なお、以上説明した実施形態では、裏板３０の端面３０Ａの位置とスペーサ部材３３の端面３３Ａの位置とが一致していたが、裏板３０の端面３０Ａの位置に対してスペーサ部材３３の端面３３Ａの位置をドア１の厚さ方向内側に後退させてもよい。また、スペーサ部材３３には、裏板３０の端面３０Ｂから突出した突出部３３Ｂが設けられていたが、このような突出部３３Ｂを省略してもよい。しかし、これらのいずれの場合にも、スペーサ部材３３は、裏板３０に形成されているねじ孔４２と干渉しない箇所において、裏板３０と結合される。
【００５３】
また、裏板３０の端面３０Ａをフランジ１７に当接させず、スペーサ部材３３の端面３３Ａをフランジ１７に当接させるようにし、裏板３０の端面３０Ａの位置をスペーサ部材３３の端面３３Ａに対してドア１の厚さ方向内側に後退させてもよい。
【００５４】
また、羽根板４Ａの厚さ寸法が縦力骨１１の裏板取付箇所であるウェブ１５の厚さ寸法と同じ又は略同じである場合には、スペーサ部材３３を省略してもよい。このようにスペーサ部材３３を省略する場合には、裏板３０を持ち易くするなどの目的のために、裏板３０のウェブ１５側とは反対側の面にスペーサ部材３３に相当する部材を取り付けてもよい。
【００５５】
図８は、別実施形態に係るドア５１を示す。このドア５１では前記実施形態の縦力骨１１が用いられておらず、この縦力骨１１の代わりとして、ドア５１の少なくとも一部の外面を形成するためのドア外面形成部材となっている室内側表面材５２と室外側表面材５３とのうち、室外側表面材５３には、室外側に向いている本体部５３Ａの蝶番側の端部に、ドア５１の厚さ方向に直角又は略直角に屈曲した第１屈曲部５３Ｂが設けられ、この第１屈曲部５３Ｂの端部に、第１屈曲部５３Ｂに対して直角又は略直角に屈曲し、本体部５３Ａと平行又は略平行となっている第２屈曲部５３Ｃが形成されている。
【００５６】
この実施形態では、前記実施形態の開口部３２に相当する開口部５４が、第１屈曲部５３Ｂと本体部５３ＡにＬ字状の断面形状で形成されている。このため、第１屈曲部５３Ｂが、裏板３０がスペーサ部材３３を介して取り付けられる裏板取付箇所となっており、また、この取付箇所に対して直角又は略直角に屈曲している本体部５３Ａが、裏板３０の端面３０Ａとスペーサ部材３３の端面３３Ａとを当接させることにより、裏板３０を位置決めするための屈曲部となっている。
【００５７】
本発明に係るドア用蝶番の裏板位置決め取付構造は、このような構造になっているドア５１についても適用できる。
【００５８】
なお、以上説明した実施形態では、玄関用のドア１，５１をドア枠３に回動自在に連結するための蝶番４のピン４Ｃは、ドア１，５１に対して室外側に配置されていたが、ピンがドアに対して室内側に配置されている場合でも、本発明に係るドア用蝶番の裏板位置決め取付構造を適用することができる。
【産業上の利用可能性】
【００５９】
本発明は、ドア用蝶番の羽根板を結合するための裏板を、ドアの少なくとも一部の外面を形成するドア外面形成部材や、ドアで開閉される開口部を内側に形成するドア枠に位置決めして取り付けるために利用することができる。
【符号の説明】
【００６０】
１，５１  ドア
４  蝶番
４Ａ  蝶番のドア側の羽根板
１１  ドア用建材であって、ドア外面形成部材でもある縦力骨
１５  縦力骨における裏板を取り付けための取付箇所であるウェブ
１７  縦力骨における屈曲部であるフランジ
３０  裏板
３２，５４  開口部
３３  スペーサ部材
５３  ドア用建材であって、ドア外面形成部材でもある室外側表面材
５２Ａ  室外側表面材における屈曲部である本体部
５３Ｂ  室外側表面材における裏板を取り付けための取付箇所である第１屈曲部
Ｌ１  ２個のスペーサ部材の間から露出している裏板の露出部分の寸法
Ｌ２  裏板の位置決め方向と直角又は略直角をなす方向における開口部の寸法
Ｔ１  羽根板の厚さ寸法
Ｔ２  縦力骨のウェブの厚さ寸法とスペーサ部材の厚さ寸法との合計寸法
【図１】
0006491850.tif 000002
【図２】
0006491850.tif 000003
【図３】
0006491850.tif 000004
【図４】
0006491850.tif 000005
【図５】
0006491850.tif 000006
【図６】
0006491850.tif 000007
【図７】
0006491850.tif 000008
【図８】
0006491850.tif 000009